【手続補正書】
【提出日】平成25年10月7日(2013.10.7)
【手続補正１】
【補正対象書類名】明細書
【補正対象項目名】０１３３
【補正方法】変更
【補正の内容】
【０１３３】
本発明の範囲及び趣旨から外れることなく、本発明の予測可能な修正及び変更が当業者には自明であろう。本発明は、例証の目的のために本出願において説明された実施形態に限定されるべきではない。
本願発明に関連する発明の実施形態について以下に列挙する。
[実施形態１]
混合物であって、
（ａ）非自己架橋性ポリマー；並びに
（ｂ）修飾化合物であって、
（ｉ）前記非自己架橋性ポリマーと反応することができる第一官能基と
（ｉｉ）硬化剤により架橋することができる第二官能基と、を含む修飾化合物、を含み、
前記第一官能基は前記第二官能基とは異なる、混合物。
[実施形態２]
前記第一官能基が、アジリジンアミド、アジリジン尿素、イソシアネート、アルコール、エポキシ、アミン、スルフヒドリル、及びこれらの組み合わせから選択される、実施形態１に記載の混合物。
[実施形態３]
前記第二官能基が、アルキン又はアジドから選択される、実施形態１又は２に記載の混合物。
[実施形態４]
前記修飾化合物が：
ＣＨ３Ｃ２Ｈ３ＮＣ（Ｏ）ＮＨＣ６Ｈ７（ＣＨ３）３ＣＨ２ＨＮＣＯＯＣＨ２Ｃ≡ＣＨ、
ＣＨ３Ｃ２Ｈ３ＮＣ（Ｏ）ＮＨＣ６Ｈ７（ＣＨ３）３ＣＨ２ＨＮＣＯＯＣＨ２ＣＨ２Ｎ３、
ＯＣＮＣ６Ｈ７（ＣＨ３）３ＣＨ２ＮＨＣＯＯＣＨ２Ｃ≡ＣＨ、
ＯＣＮＣ６Ｈ７（ＣＨ３）３ＣＨ２ＮＨＣＯＯＣＨ２ＣＨ２Ｎ３、又はこれらの組み合わせのうちの少なくとも１つから選択される、実施形態１〜３のいずれか一項に記載の混合物。
[実施形態５]
前記非自己架橋性ポリマーが、ヒドロキシル、アミノ、カルボキシ、エポキシ、二重結合、ケトン、アルデヒド、又はこれらの非自己反応性の組み合わせのうちの少なくとも１つから選択される反応部位を含む、実施形態１〜４のいずれか一項に記載の混合物。
[実施形態６]
前記非自己架橋性ポリマーが、（メタ）アクリレート、ポリウレタン、ポリエステル、ポリシロキサン、ポリオレフィン、ポリエーテル、ポリアミド、又はこれらの組み合わせのうちの少なくとも１つから選択される、実施形態１〜５のいずれか一項に記載の混合物。
[実施形態７]
硬化剤を更に含み、該硬化剤は第三官能基を含み、該第三官能基は前記第二官能基と反応して前記硬化性ポリマー組成物を架橋することができる、実施形態１〜６のいずれか一項に記載の混合物。
[実施形態８]
前記第二官能基及び前記第三官能基がアジド−アルキン架橋を形成する、実施形態６に記載の混合物。
[実施形態９]
前記硬化剤が小分子である、実施形態７又は８に記載の混合物。
[実施形態１０]
前記硬化剤が第二ポリマーである、実施形態７〜９のいずれか一項に記載の混合物。
[実施形態１１]
前記第二ポリマーが、前記非自己架橋性ポリマーとは異なる、実施形態１０に記載の混合物。
[実施形態１２]
官能基が活性な化合物を更に含み、該官能基が活性な化合物が、官能部、及び少なくとも１つのペンダントアルキン基又はペンダントアジド基を含む、実施形態１〜１１のいずれか一項に記載の混合物。
[実施形態１３]
前記官能部が染料、光安定剤、又はイメージング分子から選択される、実施形態１２に記載の混合物。
[実施形態１４]
実施形態１に記載の反応生成物、及び硬化剤を含む、硬化性ポリマー組成物。
[実施形態１５]
−Ｃ（Ｏ）Ｏ  ＣＨ２ＣＨＣＨ３ＮＣ（Ｏ）ＮＨＣ６Ｈ７（ＣＨ３）３ＣＨ２ＨＮＣＯＯＣＨ２Ｃ≡ＣＨ、
−Ｃ（Ｏ）Ｏ  ＣＨ２ＣＨＣＨ３ＮＣ（Ｏ）ＮＨＣ６Ｈ７（ＣＨ３）３ＣＨ２ＨＮＣＯＯＣＨ２ＣＨ２Ｎ３、
−ＯＣ（Ｏ）ＮＨＣ６Ｈ７（ＣＨ３）３ＣＨ２ＮＨＣ（Ｏ）ＯＣＨ２Ｃ≡ＣＨ、
−ＯＣ（Ｏ）ＮＨＣ６Ｈ７（ＣＨ３）３ＣＨ２ＮＨＣ（Ｏ）ＯＣＨ２ＣＨ２Ｎ３、及びこれらの組み合わせ、のうちの少なくとも１つから選択される置換基を含む非自己架橋性ポリマーを含む、硬化性ポリマー組成物。
[実施形態１６]
前記硬化性ポリマー組成物が接着剤及びコーティングのうちの少なくとも１つである、実施形態１４又は１５に記載の硬化性ポリマー組成物。
[実施形態１７]
実施形態１４に記載の硬化性ポリマー組成物を含む物品であって、該物品が充填ポリマー、強化複合材料、プライマー又は構造物品である、物品。
[実施形態１８]
Ｘ−Ｒ−（Ｚ）ｎ
のうちの少なくとも１つを含む組成物であって、式中、Ｘは、アジリジンアミド，アジリジン尿素、イソシアネート、アルコール、アミン、エポキシ、又はスルフヒドリルから選択され、Ｒは多官能性有機基であり、かつＺは−Ｎ３又は−Ｃ≡Ｃ−Ｒ’から選択され、式中、Ｒ’は水素又は単官能性有機基であり、かつｎは１〜約１０である、組成物。
[実施形態１９]
前記組成物が、
ＣＨ３Ｃ２Ｈ３ＮＣ（Ｏ）ＮＨＣ６Ｈ７（ＣＨ３）３ＣＨ２ＨＮＣＯＯＣＨ２Ｃ≡ＣＨ、
ＣＨ３Ｃ２Ｈ３ＮＣ（Ｏ）ＮＨＣ６Ｈ７（ＣＨ３）３ＣＨ２ＨＮＣＯＯＣＨ２ＣＨ２Ｎ３、
ＯＣＮＣ６Ｈ７（ＣＨ３）３ＣＨ２ＮＨＣＯＯＣＨ２Ｃ≡ＣＨ、及びＯＣＮＣ６Ｈ７（ＣＨ３）３ＣＨ２ＮＨＣＯＯＣＨ２ＣＨ２Ｎ３のうちの少なくとも１つから選択される、実施形態１８に記載の組成物。
[実施形態２０]
（ａ）実施形態１〜１３のいずれか一項に記載の混合物を提供することと、
（ｂ）前記非自己架橋性ポリマーと前記修飾化合物を反応させて官能化ポリマーを得ることと、
（ｃ）前記硬化剤により前記官能化ポリマーを架橋させることと、を含む、方法。
[実施形態２１]
前記反応させること及び架橋させることが熱により活性化される、実施形態２０に記載の方法。
[実施形態２２]
前記反応温度が前記架橋温度未満である、実施形態２１に記載の方法。
[実施形態２３]
前記反応温度が約０℃〜１００℃である、実施形態２１又は２２に記載の方法。
[実施形態２４]
前記架橋温度が約５０℃〜２００℃である、実施形態２１又は２２に記載の方法。
【手続補正２】
【補正対象書類名】特許請求の範囲
【補正対象項目名】全文
【補正方法】変更
【補正の内容】
【特許請求の範囲】
【請求項１】
混合物であって、
（ａ）非自己架橋性ポリマー；並びに
（ｂ）修飾化合物であって、
（ｉ）前記非自己架橋性ポリマーと反応することができる第一官能基と
（ｉｉ）硬化剤により架橋することができる第二官能基と、を含む修飾化合物、を含み、
前記第一官能基は前記第二官能基とは異なる、混合物。
【請求項２】
前記第一官能基が、アジリジンアミド、アジリジン尿素、イソシアネート、アルコール、エポキシ、アミン、スルフヒドリル、及びこれらの組み合わせから選択される、請求項１に記載の混合物。
【請求項３】
前記第二官能基が、アルキン又はアジドから選択される、請求項１又は２に記載の混合物。
【請求項４】
前記修飾化合物が：
ＣＨ３Ｃ２Ｈ３ＮＣ（Ｏ）ＮＨＣ６Ｈ７（ＣＨ３）３ＣＨ２ＨＮＣＯＯＣＨ２Ｃ≡ＣＨ、
ＣＨ３Ｃ２Ｈ３ＮＣ（Ｏ）ＮＨＣ６Ｈ７（ＣＨ３）３ＣＨ２ＨＮＣＯＯＣＨ２ＣＨ２Ｎ３、
ＯＣＮＣ６Ｈ７（ＣＨ３）３ＣＨ２ＮＨＣＯＯＣＨ２Ｃ≡ＣＨ、
ＯＣＮＣ６Ｈ７（ＣＨ３）３ＣＨ２ＮＨＣＯＯＣＨ２ＣＨ２Ｎ３、又はこれらの組み合わせのうちの少なくとも１つから選択される、請求項１又は２に記載の混合物。
【請求項５】
前記非自己架橋性ポリマーが、ヒドロキシル、アミノ、カルボキシ、エポキシ、二重結合、ケトン、アルデヒド、又はこれらの非自己反応性の組み合わせのうちの少なくとも１つから選択される反応部位を含む、請求項１又は２に記載の混合物。
【請求項６】
（ａ）請求項１又は２に記載の混合物を提供することと、
（ｂ）前記非自己架橋性ポリマーと前記修飾化合物を反応させて官能化ポリマーを得ることと、
（ｃ）前記硬化剤により前記官能化ポリマーを架橋させることと、を含む、方法。